(57)【特許請求の範囲】
【請求項１】
平坦面板状の板バネ片（16）と、該板バネ片（16）の中間部に取着した摩擦材（15）とを、具備する摩擦板ユニット（Ｕ）を設け、
上記板バネ片（16）は、上記中間部が細長矩形状であり、かつ、細長矩形状の該中間部の長手方向両端から先端幅狭状の延伸片部（16Ａ）（16Ａ）を延設し、
２枚の上記摩擦板ユニット（Ｕ）（Ｕ）が、ディスク（３）の両側に平行対面状に配設され、かつ、上記板バネ片（16）の延伸片部（16Ａ）（16Ａ）を固定部材（Ｓ）に固着し、反摩擦材側（Ｂ）から進退自在な加圧手段（Ｐ）にて上記板バネ片（16）（16）を押圧し、上記摩擦材（15）（15）が上記ディスク（３）の外周縁両面を押圧した制動状態で上記ディスク（３）の周方向（Ｍ）（Ｍ′）への微小変位を、上記平坦面板状板バネ片（16）の面方向の張力（Ｔ）によって抑制するように構成し、しかも、上記加圧手段（Ｐ）を切換えて、上記板バネ片（16）（16）への押圧を開放すると、該板バネ片（16）（16）の弾発付勢復元力によって上記摩擦材（15）（15）と上記ディスク（３）の外周縁両面との間に微小間隙が形成され、該ディスク（３）が自由回転可能な非制動状態に復元するように構成したことを特徴とするディスクブレーキ装置。
【請求項２】
上記ディスク（３）は、複合旋盤の主軸に固着されていて、上記主軸が回転方向に微小変位しないように停止保持するように複合旋盤に付設された請求項１記載のディスクブレーキ装置。
【発明の詳細な説明】
【技術分野】
【０００１】
本発明は、ディスクブレーキ装置に関する。
【背景技術】
【０００２】
従来、本出願人は、図11に示すようなクランプ装置（制動装置）を提案している（例えば、特許文献１参照）。
即ち、従来のクランプ装置（制動装置）では、図11に示すように、円盤状ディスク40の外周縁の両面を挾圧するように、２枚の摩擦板ユニット41, 41（図11では１枚のみが図示）が、ボディ42の矩形状凹窪部43に、図11の紙面と直交方向に往復動可能として、嵌着され、油圧ピストン44にて、摩擦板ユニット41が背面から押圧されて、ディスク40の外周縁に圧接して、制動を行う構造であるが、摩擦材45と矩形プレート46とから成る上記摩擦板ユニット41が、ディスク40の周方向Ｍ，Ｍ′に移動しないように、矩形プレート46の（ラジアル方向の）辺47, 47を上記凹窪部43の（ラジアル方向の）辺43Ａ，43Ａに当接させる必要があった。
【０００３】
なお、図11では、ディスク40の厚みの中央面にて切断して見た正面図でありボディ42は一対のボディ半体42ａ，42ａから成り、図11には、その内の一方のみが図示され、その一対のボディ半体42ａ，42ａはボルト48, 48にて連結され一体構造に組立てられる。
図11に示したように、ボディ42の凹窪部43に摩擦板ユニット41を嵌込んで組立てる構造であるため、周方向（回転方向）Ｍ、又はＭ′の回転トルクを受ける辺43Ａと辺47の間には、僅かな隙間Ｇを要する。つまり、隙間Ｇが無ければ、摩擦板ユニット41を凹窪部43に組立て不可能であり、さらに、制動ＯＮ−ＯＦＦのために、図11の紙面と直交方向に摩擦板ユニット41が進退（往復動）できなくなる。
【０００４】
このような僅かな隙間Ｇ分だけディスク40が回転方向（周方向）Ｍ，Ｍ′に動くという、古くからの問題があった。
そこで、上記特許文献１にて本出願人が提案した発明では、線状スプリング49を、ボディ半体42ａの凹溝50, 50に嵌め込み、かつ、この線状スプリング49は自由状態下では２点鎖線49Ａ，49Ａにて示すように周方向Ｍに偏位し、組立てた状態にて実線の状態となるように、セットすることで、摩擦板ユニット41を常時、───周方向Ｍへ弾発付勢して、図11の左側の辺43Ａと辺47の隙間Ｇを零として、───周方向Ｍへのガタツキ（微小回転）を防止していた。さらに、図11では図面に表されていない他方のボディ半体42ａに於て、別の線状スプリングを凹溝に嵌め込んで、自由状態下で周方向Ｍ′に偏位し、組立てた状態では、図11に実線で示された線状スプリング49と同様にセットすることで、摩擦板ユニットを常時、周方向Ｍ′へ弾発付勢して、周方向Ｍ′へのガタツキ（微小回転）を防止していた。このように、一方の摩擦板ユニット41は一方向Ｍの回転のガタツキを防止し、他方の摩擦板ユニットは他方向Ｍ′の回転のガタツキを防止し、もって、全体として両方向Ｍ，Ｍ′へのガタツキ（微小回転）を防止する構造であった。
【特許文献１】特許第３５１９６９２号公報
【発明の開示】
【発明が解決しようとする課題】
【０００５】
しかし、図11に示したようなクランプ装置───ディスクブレーキ装置───では、次のような問題がある。即ち、 (ｉ) 凹溝50の加工を要しボディ42の形状が複雑化する点、（ii) 凹窪部43の両辺43Ａ, 43Ａの機械加工が面倒であり、しかも、両辺43Ａ, 43Ａの間隔寸法精度を高める必要がある点、(iii) 矩形プレート46の両辺47, 47の高精度の表面仕上げ加工、及び、間隔寸法精度を高める必要がある点、 (iv) 複雑な形状の線状スプリング49を要し、部品点数が多くなる点、 (ｖ) 一方向Ｍの回転トルクに対しては、一対の矩形プレート46の内の一方がガタツキを阻止し、他方向Ｍ′の回転トルクに対しては他方がガタツキを阻止するので、阻止力が半分となる点、以上のような問題点があった。
【０００６】
そこで、本発明は、このような従来の問題点を解決して、ボディの形状及び全体の形状が簡素であり、摩擦板ユニット（摩擦材）の辺の仕上が粗くても良く、寸法精度も荒くても使用可能であって、製造し易く、さらに、ボディには高い寸法精度の凹窪部の加工が省略可能であり、全体の部品点数も減少できて、大きな制動力を（コンパクトでありながらも）発揮するディスクブレーキ装置の提供を目的とする。
【課題を解決するための手段】
【０００７】
上記目的を達成するために、本発明に係るディスクブレーキ装置は、平坦面板状の板バネ片と、該板バネ片の中間部に取着した摩擦材とを、具備する摩擦板ユニットを設け、上記板バネ片は、上記中間部が細長矩形状であり、かつ、細長矩形状の該中間部の長手方向両端から先端幅狭状の延伸片部を延設し、２枚の上記摩擦板ユニットが、ディスクの両側に平行対面状に配設され、かつ、上記板バネ片の延伸片部を固定部材（Ｓ）に固着し、反摩擦材側から進退自在な加圧手段にて上記板バネ片を押圧し、上記摩擦材が上記ディスクの外周縁両面を押圧した制動状態で上記ディスクの周方向への微小変位を、上記平坦面板状板バネ片の面方向の張力によって抑制するように構成し、しかも、上記加圧手段を切換えて、上記板バネ片への押圧を開放すると、該板バネ片の弾発付勢復元力によって上記摩擦材と上記ディスクの外周縁両面との間に微小間隙が形成され、該ディスクが自由回転可能な非制動状態に復元するように構成したものである。
また、上記ディスクは、複合旋盤の主軸に固着されていて、上記主軸が回転方向に微小変位しないように停止保持するように複合旋盤に付設されている。
【発明の効果】
【０００８】
本発明に係るディスクブレーキ装置によれば、部品点数が減少できて、コンパクト化と構造簡素化を図ることができ、また、機械加工箇所が減少できて、加工精度も余り必要なくなって、製造が容易となる。さらに、ディスクのいずれの方向への回転に対しても、各々、十分に大きい制動力を作用させ得る。
【発明を実施するための最良の形態】
【０００９】
以下、図示の実施の形態に基づき本発明を詳説する。
図１〜図10は、本発明の実施の一形態を示す。１は、一対の半体１ａ，１ａを、センターピース30を間に介装して、ボルト等の締結具２にて連結一体化されるボディである。
３は、被制動部材としての円板状のディスクであり、このディスク３は軸心（点）Ｌ3 廻りに回転自在であり、上記センターピース30及びボディ１をもって、このディスク３の外周縁が嵌込まれる凹部４が形成される。
【００１０】
この凹部４内へ（図１，図４，図５では下方から）嵌込まれたディスク３に対し、その外周縁の両面から押圧自在として、摩擦板ユニットＵ，Ｕ、及び、このユニットＵ，Ｕを背面側から押圧する加圧手段Ｐ，Ｐが、設けられる。即ち、ボディ１の半体１ａ，１ａには有底円形孔が凹設され、シリンダ室６，６とされ、このシリンダ室６内にピストン５が移動可能に嵌合され、油圧や空圧がピストン５に作用すれは、ピストン５は前進し、摩擦板ユニットＵを、ディスク３の外周縁の両面に押圧されて、ディスク３の回動にブレーキ（制動力）を付与する。なお、31はシール材である。
【００１１】
摩擦板ユニットＵは細長状板バネ片16と、この板バネ片16の中央部にカシメ具等の固着具32にて取着した摩擦材15とを、具備する。
２枚の摩擦板ユニットＵ，Ｕが、ディスク３の両側に平行対面状に配設される。そして、摩擦材15がディスク３の外周縁の両面に対向状として、直接的に摺接（当接）自在として配設される。
【００１２】
板バネ片16の形状は、（図６と図９のように）平坦面板状であって、（図７と図10のように）中央乃至中間領域は帯板状（細長矩形）で、その両端から、先端が幅狭となると共に幅方向（上方へ）傾斜状の延伸片部16Ａ，16Ａを有する正面視形状である。この延伸片部16Ａに取付用孔33が貫設され、センターピース30のバネ片取付孔34と、取付用孔33を串挿状に挿通したボルト35と、ナット36とワッシャ（スペーサリング）等にて、板バネ片16，16の両端はセンターピース30に固着される。
なお、板バネ片16，16の両端は、センターピース30等の固定部材Ｓに固着されれば良いのであって、（図示省略するが）ボディ１をやや大きくして、ボディ１に固着するも自由である。
【００１３】
図９と図10及び図１に略図で示すように、反摩擦材側（背面側）Ｂから、進退自在な加圧手段Ｐにて摩擦板ユニットＵを押圧した制動状態───摩擦材15, 15がディスク３の両面を押圧したブレーキ作動状態───で、ディスク３の周方向（回転方向）Ｍ，Ｍ′への微小変位（微小回転移動）を、両端が固定部材Ｓにて固着された前記板バネ片16の張力Ｔ───平坦面状板バネ片16の面方向の張力Ｔ───によって抑制（阻止）する。
図２，図３，図10等からも明らかなように、矩形板状の摩擦材15は、直接的に、ボディ１には接触せず、従来例の図11に於ける辺43Ａと辺47の当接が全く省略されている。従って、本発明では、摩擦材15の両辺15Ａ，15Ａの機械仕上げは省略できて、粗いものでも十分であり、かつ、両辺15Ａ，15Ａ間の幅寸法も、寸法精度が荒くとも良く、加工（製作）が極めて容易となる。さらに、本発明では、従来例の図11に於ける凹窪部43の加工も省略できるので、ボディ１の機械仕上げも大幅に省略される。
【００１４】
図９に於て、矢印Ｆは加圧手段Ｐ（図１参照）による反摩擦材側（背面側）Ｂからの押圧力を示し、これによって摩擦材15，15はディスク３の外周縁両面を強く押圧して、制動状態（図１参照）となる。加圧手段Ｐを切換えて、矢印Ｆ方向の押圧力を零とすると、板バネ片16の弾発付勢力（復元力）Ｆ′によって、ディスク３の外周縁両面とは微小間隙が形成され、ディスク３が自由回転可能な非制動状態に復元する。このように板バネ片16は、その平面と直交方向へは変位するが、その平面内では変位しないので、矢印Ｍ，Ｍ′にて示した周方向へ、前記制動状態で、確実に周方向のガタツキなく（周方向微小変位なく）ディスク３の微小な回転を防止できる。
【００１５】
本発明に係るこのようなディスクブレーキ装置の好適な用途について説明すると、複合旋盤の主軸の停止後に、停止保持を目的に使用できる。即ち、ディスク３を、複合旋盤の主軸に一体状に固着し、ボディ１を固着したセンターピース30は、その両端の貫孔10, 10にボルト等を挿通して、旋盤ベッド等の固定部11に固着し（図４参照）、複合旋盤の主軸が回転方向に微小変位しないように停止保持させることが可能となる。さらに具体的に説明すると、上記主軸を回転させてワークを通常の旋盤による切削加工を行った後に、主軸を停止し、ワークをそのままで、引続き、フライスカッター等を接近させて、別加工をする際、本発明に係るディスクブレーキ装置によって、主軸が回転方向にふらふらする（微小回転する）ことがないので、別加工時のワーク加工精度が著しく向上できることとなる。このように複合旋盤の主軸の回転方向の位置保持に有効な働きを期待できる。
【００１６】
なお、図１に於て、８は作動流体供給孔であり、図示省略の流体圧発生源と配管と切換弁類と接続され、流路12, 13, 14等によって、一対のシリンダ室６，６へ同時に作動流体（油やエア）が供給され、ピストン５，５が、板バネ片16，16の背面から押圧して、摩擦材15, 15をディスク３へ強く押圧して、制動状態に切換自在である。なお、図示省略したが、流体圧を利用した（図示の）加圧手段Ｐに限らず、電磁作動の加圧手段Ｐに変更するも自由である。
なお、図８と図４に示すように、センターピース30は緩い凹曲線状の円弧面18を有し、ディスク３の外周面と微小間隔を形成しつつ対向配置される（干渉を避けている）。また、バネ取付孔34, 34の間隔寸法よりも小さな間隔寸法にて、２個の孔19, 19が貫設されており、この孔19, 19に締結具２，２を挿通して、半体１ａ，１ａとセンターピース30とを、一体状に締結できる。なお、摩擦板ユニットＵに於て、摩擦材15と板バネ片16とを接着剤やその他の手段にて固着しても自由であり、図示の固着具32と併用するも自由である。
【００１７】
上述のように、本願発明は、板バネ片16の中間部に摩擦材15を取着した２枚の摩擦板ユニットＵ，Ｕが、ディスク３の両側に平行対面状に配設され、かつ、上記板バネ片16の両端を固定部材Ｓに固着し、反摩擦材側Ｂから進退自在な加圧手段Ｐにて上記摩擦板ユニットＵ，Ｕを押圧した制動状態で上記ディスク３の周方向Ｍ，Ｍ′への微小変位を、上記板バネ片16の張力Ｔによって抑制するように構成したので、図９と図10に示したように、ディスク３の周方向（回転方向）Ｍ，Ｍ′の微小変位防止のための保持（制動）作用を、２枚の摩擦板ユニットＵ，Ｕが同時に行うので、従来の図11の場合に比較して、２倍の力を発揮できる。言い換えると、同一の保持力ならば、小型化を図り得ると言える。さらに、図11に示した従来例の凹溝50の加工等も不安で、構造がシンプル（簡素）であって、製造し易く、コスト低減も図り得る。特に、摩擦材15の両辺の加工を省略でき、これを受ける（図11の）凹窪部43も省略できて、切削や研削等の機械加工面が著しく少なくて済む。また、部品点数も少なくて済む。
【図面の簡単な説明】
【００１８】
【図１】本発明の実施の一形態を示す要部断面側面図である。
【図２】要部断面平面図である。
【図３】平面図である。
【図４】正面図である。
【図５】側面図である。
【図６】摩擦板ユニットＵの断面平面図である。
【図７】摩擦板ユニットＵの正面図である。
【図８】センターピースの説明図である。
【図９】作用説明のための断面平面図である。
【図１０】作用説明のための正面図である。
【図１１】従来例を示す要部説明図である。
【符号の説明】
【００１９】
１  ボディ
３  ディスク
15  摩擦材
16  板バネ片
16Ａ  延伸片部
Ｂ  反摩擦材側（背面側）
Ｍ，Ｍ′  周方向（回転方向）
Ｐ  加圧手段（加圧装置）
Ｓ  固定部材
Ｔ  張力
Ｕ  摩擦板ユニット
【図１】
0004695152.tif 000002
【図２】
0004695152.tif 000003
【図３】
0004695152.tif 000004
【図４】
0004695152.tif 000005
【図５】
0004695152.tif 000006
【図６】
0004695152.tif 000007
【図７】
0004695152.tif 000008
【図８】
0004695152.tif 000009
【図９】
0004695152.tif 000010
【図１０】
0004695152.tif 000011
【図１１】
0004695152.tif 000012